(57)【要約】【課題】断熱と冷却を効率的行うことが可能な炊飯器を提供する。【解決手段】本体ケース２と、本体ケース２の上部を覆う外蓋と、本体ケース２に着脱自在に収納される内釜と、内釜を加熱する加熱コイルおよび側面ヒータと、加熱コイルおよび側面ヒータを制御する制御装置と、加熱コイル、側面ヒータ、制御装置を冷却する冷却ファンと、本体ケース２の内側に設けられ、内釜の側面に位置して輻射熱を反射させるシールド板３１，３２，３３と、を備える。本体ケース２の内壁面２１ｂ１，２１ｃ１，２１ｄ１とシールド板３１，３２，３３との間には、空気層ＡＬ１，ＡＬ２，ＡＬ３が形成されている。【選択図】図１１
2020174965.tif 000002
【特許請求の範囲】
【請求項１】
本体ケースと、
前記本体ケースの上部を覆う蓋と、
前記本体ケースに着脱自在に収納される内釜と、
前記内釜を加熱する加熱手段と、
前記加熱手段を制御する制御装置と、
前記加熱手段および前記制御装置を冷却する冷却ファンと、
前記本体ケースの内側に設けられ、少なくとも前記内釜の側面に位置して輻射熱を反射させる金属板と、を備えることを特徴とする炊飯器。
【請求項２】
請求項１に記載の炊飯器において、
前記本体ケースと前記金属板との間に空気層を有することを特徴とする炊飯器。
【請求項３】
請求項１または請求項２に記載の炊飯器において、
前記本体ケースは、当該本体ケースの内側に突出して形成される係止部を備え、
前記金属板は、前記係止部に係止されていることを特徴とする炊飯器。
【請求項４】
請求項１または請求項２に記載の炊飯器において、
前記本体ケースと前記金属板との間には断熱材が設けられていることを特徴とする炊飯器。
【請求項５】
請求項２に記載の炊飯器において、
前記加熱手段は、前記内釜の底面側に設けられる第１加熱部と、前記内釜の側面側に設けられる第２加熱部と、前記第１加熱部と前記本体ケースの底面との間に設けられるアルミニウム製の保護板と、を備え、
前記金属板は、前記保護板よりも板厚が薄く形成されていることを特徴とする炊飯器。
【請求項６】
請求項５に記載の炊飯器において、
前記金属板は、前記内釜の略全周に配置されていることを特徴とする炊飯器。
【請求項７】
請求項５または請求項６に記載の炊飯器において、
前記金属板は、前記保護板によって抑えられていることを特徴とする炊飯器。
【請求項８】
請求項１から請求項７のいずれか１項に記載の炊飯器において、
前記金属板は、アルミニウム製またはアルミニウム合金製であることを特徴とする炊飯器。
【請求項９】
請求項１から請求項８のいずれか１項に記載の炊飯器において、
前記本体ケースは、合成樹脂製であることを特徴とする炊飯器。
【発明の詳細な説明】
【技術分野】
【０００１】
本発明は、炊飯器に関する。
【背景技術】
【０００２】
特許文献１には、食品を入れる内釜の加熱方法として、内釜の底面側にＩＨ（Induction Heating）コイルによる電磁誘導加熱を採用した炊飯器が記載されている。また、内釜の側面側や内蓋に、電熱線ヒータやＩＨコイルによる電磁誘導加熱を採用した炊飯器も採用されている。
【先行技術文献】
【特許文献】
【０００３】
【特許文献１】特開２０１３−２２３３２号公報
【発明の概要】
【発明が解決しようとする課題】
【０００４】
しかしながら、特許文献１に記載のような炊飯器では、ＩＨコイルや電熱線ヒータから輻射熱が発生する。このような炊飯器において、断熱材としてウレタンフォームなどを使用している場合、断熱材に輻射熱が吸収され、断熱効果が損なわれてしまう。また、炊飯器では、制御基板や加熱部を冷却ファンによって冷却する必要がある。
【０００５】
本発明は、前記した従来の課題を解決するものであり、断熱と冷却を効率的に行うことが可能な炊飯器を提供することを目的とする。
【課題を解決するための手段】
【０００６】
本発明は、本体ケースと、前記本体ケースの上部を覆う蓋と、前記本体ケースに着脱自在に収納される内釜と、前記内釜を加熱する加熱手段と、前記加熱手段を制御する制御装置と、前記加熱手段および前記制御装置を冷却する冷却ファンと、前記本体ケースの内側に設けられ、少なくとも前記内釜の側面に位置して輻射熱を反射させる金属板と、を備えることを特徴とする。
【発明の効果】
【０００７】
本発明によれば、断熱と冷却を効率的に行うことが可能な炊飯器を提供できる。
【図面の簡単な説明】
【０００８】
【図１】第１実施形態の炊飯器の縦断面図である。
【図２】第１実施形態の炊飯器の本体ケースを示す斜視図である。
【図３】第１実施形態の炊飯器の底面側から見上げたときの斜視図である。
【図４】第１実施形態の炊飯器の正面図である。
【図５】第１実施形態の炊飯器の本体ケースを示す平面図である。
【図６】シールド板が係止される係止部を示し、（ａ）は斜視図、（ｂ）は側面図、（ｃ）は正面図、（ｄ）は上面図、（ｅ）は下面図である。
【図７】左側のシールド板を示し、（ａ）は正面図、（ｂ）は斜視図である。
【図８】右側のシールド板を示し、（ａ）は正面図、（ｂ）は斜視図である。
【図９】後側のシールド板を示し、（ａ）は正面図、（ｂ）は斜視図である。
【図１０】係止部にシールド板が取り付けられた状態を示し、（ａ）斜視図、（ｂ）は断面図である。
【図１１】本体ケースにシールド板を配置した状態を示す平面図である。
【図１２】図１１のＡ−Ａ線断面図である。
【図１３】第２実施形態の炊飯器の一部を示す断面図である。
【発明を実施するための形態】
【０００９】
次に、本発明の実施形態に係る炊飯器について、適宜図面を参照しながら詳細に説明する。
【００１０】
（第１実施形態）
図１は、第１実施形態の炊飯器の縦断面図である。
図１に示すように、炊飯器１は、本体ケース２と、本体ケース２内に着脱自在に収納される内釜３と、本体ケース２の上部を覆う外蓋４（蓋）と、を備えて構成されている。
【００１１】
本体ケース２は、ポリプロピレン（ＰＰ）などの合成樹脂製であり、上面が開口し、内釜３が着脱自在に挿入される内容器５を備えている。また、本体ケース２内には、内容器５の外側方および下方との間に空間が形成されている。また、本体ケース２の下部（内容器５の下面）には、内釜３の外側底面部に、内釜３を電磁誘導加熱するための加熱コイル６（加熱手段、第１加熱部）が設けられている。
【００１２】
また、本体ケース２の底には、中央に穴を持つ円盤状のシールド板（保護板）１０が固定されている。このシールド板１０は、本体ケース２の下方に向けて加熱コイル６による磁束が漏れるのを防止する機能を有している。
【００１３】
また、本体ケース２内の下部には、内釜３の外側底面の中央部に当接し、内釜３の温度を検出する温度センサユニット７が設けられている。また、本体ケース２の後方には、制御装置（制御基板）８が設けられている。制御装置８は、本体ケース２内の温度の低い空間部に配置されている。温度センサユニット７で検出された温度情報が制御装置８に入力され、加熱コイル６などの加熱を制御する。
【００１４】
本体ケース２の後方下部には、冷却ファン９が設けられている。この冷却ファン９は、制御装置８の下側に設けられ、加熱コイル６と制御装置８とを含む本体ケース２内部を冷却する。また、冷却ファン９は、制御装置８によってオン・オフ制御される。
【００１５】
また、本体ケース２の底面には、加熱コイル６の後方に吸気口２ａが形成され、加熱コイル６の前方に排気口２ｂが形成されている。
【００１６】
内釜３は、有底円筒形状の容器であり、例えば、鉄などの強磁性金属を含む磁性金属と非磁性金属の複合材で形成されている。また、内釜３は、開口縁部の全周に鍔部３ａを有している。また、内釜３は、鍔部３ａが内容器５の開口縁部に接した状態で内容器５に収容される。また、内釜３が内容器５に収容されると、内釜３の底面（下面）が温度センサユニット７に接触した状態になる。
【００１７】
外蓋４は、下面に内蓋１１を備え、本体ケース２に回動自在に取り付けられている。外蓋４を閉じることで、本体ケース２の上面開口部を覆い、外周にパッキン１２を備える内蓋１１によって内釜３の上面開口部を塞ぐようになっている。
【００１８】
内蓋１１の上面には、５０Ｗ程度のコードヒータ等からなる蓋ヒータ１３が設けられている。この蓋ヒータ１３を設けることで、内蓋１１に付着した露を蒸発させる働きを有する。
【００１９】
また、内蓋１１には、調圧弁１４が設けられている。外蓋４は、調圧弁１４を制御する調圧弁制御部１５を備えている。調圧弁１４は、球体１４ａを備え、内釜３の内部の気圧が例えば１.３気圧を超えると開口部を開いて１.３気圧を維持する構造を備えている。調圧弁制御部１５は、ソレノイドによって球体１４ａを動かして、調圧弁１４を調圧動作状態か開放状態かを制御する。
【００２０】
また、外蓋４の上面には、米の種類、炊き方などのメニューや、「炊飯」、「切」などを操作する操作部１６を備える。この操作部１６は、制御装置８と接続されている。
【００２１】
蒸気回収ユニット５０は、外蓋４の上面に着脱可能に取り付けられている。また、蒸気回収ユニット５０は、ラビリンス構造を有し、蒸気を溜めることができるとともに、内部に溜めた蒸気を結露水に変える機能を有する。すなわち、外蓋４の上面後部には、蒸気回収ユニット５０が収容される凹部４ａが形成されている。この凹部４ａの底面４ａ１には、円形の開口部４ｂが形成されている。また、外蓋４には、開口部４ｂと調圧弁１４とを接続する蒸気通路４ｃが設けられている。これにより、蒸気回収ユニット５０には、調圧弁１４から出た蒸気が蒸気通路４ｃ、開口部４ｂを通って流入する。また、蒸気回収ユニット５０内に流入した蒸気は、冷却されて結露水に替えられ、蒸気通路４ｃを通って内蓋１１に戻される。
【００２２】
また、内容器５の外周面（外側面）には、側面ヒータ１７（加熱手段、第２加熱部）が設けられている。側面ヒータ１７は、電熱線ヒータによって構成され、アルミニウム製のテープなどで内容器５の外周面に固定されている。なお、側面ヒータ１７は、電熱線ヒータに限定されるものではなく、底面側の加熱手段と同様に、ＩＨ（Induction Heating）コイルで構成してもよい。
【００２３】
また、制御装置８は、加熱コイル６とともに、蓋ヒータ１３および側面ヒータ１７の加熱を制御する。また、制御装置８は、インバータ回路などの発熱部品を搭載しており、冷却ファン９によって適宜冷却される。また、制御装置８は、冷却ファン９を作動させて、加熱コイル６、蓋ヒータ１３、側面ヒータ１７を適宜冷却する。
【００２４】
図２は、第１実施形態の炊飯器の本体ケースを示す斜視図である。
図２に示すように、本体ケース２は、前面（図示手前側）を向く前面部２１ａと、左右側面を向く側面部２１ｂ，２１ｃと、後面（背面）を向く後面部２１ｄと、下面を向く底面部２１ｅと、が樹脂成型によって一体に構成されている。また、後面部２１ｄには、上端縁部から凹状に切り欠かれた切欠き２ｃが形成されている。
【００２５】
また、側面部２１ｂの内壁面２１ｂ１には、後記するシールド板３１が係止される係止爪２２，２２が形成されている。また、後面部２１ｄの内壁面２１ｄ１には、後記するシールド板３３が係止される係止爪２４が形成されている（一部のみ図示）。なお、側面部２１ｃの内壁面にも後記するシールド板３２が係止される係止爪２３，２３（図１０参照）が形成されている。
【００２６】
図３は、第１実施形態に炊飯器の底面側から見上げたときの斜視図である。
図３に示すように、底面部２１ｅには、吸気口２ａと排気口２ｂとの間に、円形に突出した円形凸部２１ｇが形成されている。この円形凸部２１ｇには、温度センサユニット７（図１参照）の外周と筒体保持部２１ｅ１との間の隙間と連通する通水口２１ｈが形成されている。この通水口２１ｈは、内釜３の外側底面部に付着した水滴が、内容器５の底部に垂れても、内容器５内に溜まらないように、本体ケース２の底面部２１ｅへ流出させるためのものである。
【００２７】
吸気口２ａは、複数の長孔によって矩形状を成すように構成されている。排気口２ｂは、複数の長孔によって左右方向に長い形状を成すように構成されている。また、吸気口２ａの開口面積は、排気口２ｂの開口面積よりも大きく（広く）形成されている。
【００２８】
また、本体ケース２には、底面部２１ｅと側面部２１ｂとの角部、および底面部２１ｅと側面部２１ｃとの角部に、それぞれ、内側に向けて凹む形状の持ち手２１ｉが形成されている。
【００２９】
また、本体ケース２には、底面部２１ｅに、持ち手２１ｉと吸気口２ａとの間に風の通り道となる導風部２１ｊ，２１ｊが形成されている。これにより、面取り形状部２１ｆに沿って入ってきた冷却風は、持ち手２１ｉ，２１ｉ、導風部２１ｊ，２１ｊを通って吸気口２ａから本体ケース２の内部に入るように構成されている。
【００３０】
また、炊飯器１では、排気口２ｂを底面部２１ｅの中央とし、吸気口２ａとの間に円形凸部２１ｇが位置することで、排気口２ｂから排気した温風が再度、吸気口２ａに入ってショートサーキットが発生しない配置となっている。
【００３１】
また、蒸気回収ユニット５０（図１参照）を通過した温風が蒸気排出口（不図示）から排出されると炊飯器１の上面の雰囲気温度が高くなる。このため、本体ケース２には、上面から背面を通って吸気口２ａに温風が入ることを防止するために、吸気口２ａの幅よりも大きな（広い）後方壁２１ｋが設けられている。
【００３２】
図４に示すように、側面部２１ｂ，２１ｃの下部には、面取り形状部２１ｆが形成されている。これにより、本体ケース２の側面部２１ｂ，２１ｃが壁に近接して配置された場合でも、壁および設置面との距離が空くことで、風が抵抗なく流れる空間が確保される。
【００３３】
図５は、第１実施形態の炊飯器の本体ケースを示す平面図である。
図５に示すように、本体ケース２は、前面部２１ａと、側面部２１ｂ，２１ｃと、後面部２１ｄと、底面部２１ｅと、によって囲まれ、上面が開放した形状を有している。また、本体ケース２は、略矩形状の開口部２１ｓを有している。
【００３４】
底面部２１ｅには、前記した円形凸部２１ｇが形成されている。この円形凸部２１ｇの内壁には、径方向の中央に前記した筒体保持部２１ｅ１が形成されている。この筒体保持部２１ｅ１は、３つの部屋に区画され、それぞれの部屋の底面に通水口２１ｈが形成されている。
【００３５】
また、円形凸部２１ｇの内壁面には、筒体保持部２１ｅ１の周囲に、格子状に配置されたリブ２１ｇ１が形成されている。また、円形凸部２１ｇの内壁面には、筒体保持部２１ｅ１の前方および後方に、ねじ穴２１ｇ２，２１ｇ２が形成されている。
【００３６】
また、底面部２１ｅには、円形凸部２１ｇの後方に、前記した吸気口２ａが配置されている。また、底面部２１ｅには、円形凸部２１ｇの前方に、前記した排気口２ｂが配置されている。
【００３７】
また、底面部２１ｅには、円形凸部２１ｇの周囲に、ねじ固定用のボス２１ｍ，２１ｍ，２１ｎ，２１ｎが形成されている。ボス２１ｍは、排気口２ｂの左右両側に位置している。ボス２１ｎは、吸気口２ａの左右両側かつ前寄りに位置している。
【００３８】
また、底面部２１ｅには、吸気口２ａの後部左側に、ねじ穴２１ｇ２と同様なねじ穴２１ｇ３が形成されている。また、底面部２１ｅには、吸気口２ａの後部右側に、ねじ固定用のボス２１ｏが形成されている。
【００３９】
また、底面部２１ｅは、円形凸部２１ｇの左右両側に、前記した持ち手２１ｉの部分が内側に突出する形状を有している。
【００４０】
また、側面部２１ｂの内壁面２１ｂ１には、前記した係止爪２２，２２が形成されている。前側の係止爪２２は、前後方向の略中央に位置している。後側の係止爪２２は、前後方向の後寄りに位置している。
【００４１】
また、側面部２１ｃの内壁面２１ｃ１には、係止爪２３，２３が形成されている。前側と後側の係止爪２３は、前記係止爪２２と左右対称の位置に形成されている。
【００４２】
また、後面部２１ｄの内壁面２１ｄ１には、前記した係止爪２４，２４が左右方向に離間して形成されている。
【００４３】
図６は、シールド板が係止される係止部を示し、（ａ）は斜視図、（ｂ）は側面図、（ｃ）は正面図、（ｄ）は上面図、（ｅ）は下面図である。なお、以下では、係止爪２２を例に挙げて説明するが、他の係止爪２３、２４も係止爪２２と同様に構成されているものとして説明を省略する。
【００４４】
図６（ａ）に示すように、係止爪２２は、内壁面２１ｂ１から内方に突出して形成されている。また、係止爪２２は、内壁面２１ｂ１に沿って上下方向に延びて形成される基部２２ａと、この基部２２ａの前端下部から内方に突出する突出片２２ｂと、基部２２ａの前端上部から内方に突出する突出片２２ｃと、基部２２ａの上端から上方に突出する突出片２２ｂ４と、を有している。
【００４５】
図６（ｂ）に示すように、突出片２２ｂは、基部２２ａから前方（図示左方向）に延びる延出部２２ｂ１と、この延出部２２ｂ１の前端から上方に延びる延出部２２ｂ２と、を有している。
【００４６】
突出片２２ｃは、前方（図示左方向）に水平に延びて形成されている。また、突出片２２ｃの先端は、延出部２２ｂ２よりも内壁面２１ｂ１側に位置している。また、突出片２２ｃは、同様の幅で内壁面２１ｂ１まで延びて形成されている。
【００４７】
突出片２２ｄは、内壁面２１ｂ１から離れた位置から上方に延びて形成されている。また、突出片２２ｄは、前方（図示左方向）に傾斜している。また、突出片２２ｄは、同様の幅で内壁面２１ｂ１まで延びて形成されている。
【００４８】
図６（ｃ）に示すように、基部２２ａは、扁平形状であり、突出片２２ｂ，２２ｃ，２２ｄよりも幅狭に形成されている。
【００４９】
また、延出部２２ｂ２の先端（上端縁）２２ｂ３は、基部２２ａから離れる方向に向けて下るように傾斜している。また、突出片２２ｃの上面２２ｃ１は、基部２２ａから離れる方向に向けて下るように傾斜している。また、突出片２２ｄの上端２２ｄ１は、基部２２ａから離れる方向に向けて下るように傾斜している。
【００５０】
図６（ｄ）に示すように、突出片２２ｃは、突出片２２ｂと同様の幅で内壁面２１ｂ１まで延びて形成されている。
【００５１】
図６（ｅ）に示すように、突出片２２ｂは、延出部２２ｂ１，２２ｂ２が同様の幅で内壁面２１ｂ１まで延びて形成されている。
【００５２】
図７は、左側のシールド板を示し、（ａ）は正面図、（ｂ）は斜視図である。
図７（ａ）に示すように、シールド板３１は、アルミニウム製またはアルミニウム合金製であり、光沢を有するものである。また、シールド板３１は、本体ケース２の側面部２１ｂの内壁面２１ｂ１（図５参照）に沿って配置される。
【００５３】
また、シールド板３１は、前後方向に細長い略長方形状の板部３１ａを有している。この板部３１ａの下端には、折り曲げ可能な片部３１ｂ，３１ｃが形成されている。また、板部３１ａの上端には、折り曲げ可能な片部３１ｄ，３１ｅが形成されている。また、板部３１ａの前端には、折り曲げ可能な片部３１ｆが形成されている。また、板部３１ａの後端には、折り曲げ可能な片部３１ｇが形成されている。この片部３１ｇの下端には、折り曲げ可能な片部３１ｈが形成されている。また、板部３１ａの上部には、係止爪２２（図６参照）によって係止される係止孔３１ｓ、３１ｓが形成されている。
【００５４】
図７（ｂ）に示すように、片部３１ｂ，３１ｃ，３１ｄ，３１ｅ，３１ｆ，３１ｇは、板部３１ａに対して内側（図示の紙面手前側）に曲げられる。また、片部３１ｈは、片部３１ｇに対して内側（図示の紙面手前側）に曲げられる。図７（ｂ）に示すようにシールド板３１を曲げた状態で、本体ケース２内に配置される。
【００５５】
図８は、右側のシールド板を示し、（ａ）は正面図、（ｂ）は斜視図である。
図８（ａ）に示すように、シールド板３２は、アルミニウム製またはアルミニウム合金製であり、光沢を有するものである。また、シールド板３２は、本体ケース２の側面部２１ｃの内壁面２１ｃ１（図５参照）に沿って配置される。
【００５６】
また、シールド板３２は、前後方向に細長い略長方形状の板部３２ａを有している。この板部３２ａの下端には、折り曲げ可能な片部３２ｂ，３２ｃが形成されている。また、板部３２ａの上端には、折り曲げ可能な片部３２ｄ，３２ｅが形成されている。また、板部３２ａの前端には、折り曲げ可能な片部３２ｆが形成されている。また、板部３２ａの後端には、折り曲げ可能な片部３２ｇが形成されている。この片部３２ｇの下端には、折り曲げ可能な片部３２ｈが形成されている。また、片部３２ｇの上端には、折り曲げ可能な片部３２ｉが形成されている。また、板部３２ａの上部には、係止爪２３（図６参照）によって係止される係止孔３２ｓ、３２ｓが形成されている。
【００５７】
図８（ｂ）に示すように、片部３２ｂ，３２ｃ，３２ｄ，３２ｅ，３２ｆ，３２ｇは、板部３２ａに対して内側（図示の紙面手前側）に曲げられる。また、片部３２ｈは、片部３２ｇに対して内側（図示の紙面手前側）に曲げられる。また、片部３２ｉは、片部３２ｇに対して内側（図示の紙面手前側）に曲げられる。図８（ｂ）に示すようにシールド板３２を曲げた状態で、本体ケース２内に配置される。
【００５８】
図９は、後側のシールド板を示し、（ａ）は正面図、（ｂ）は斜視図である。
図９（ａ）に示すように、シールド板３３は、アルミニウム製またはアルミニウム合金製であり、光沢を有するものである。また、シールド板３３は、本体ケース２の後面部２１ｄの内壁面２１ｄ１（図５参照）に沿って配置される。
【００５９】
また、シールド板３３は、左右方向（幅方向）に細長い略長方形状の板部３３ａを有している。この板部３３ａの下端には、折り曲げ可能な片部３３ｂ，３３ｃ，３３ｄが形成されている。また、板部３３ａの上端には、折り曲げ可能な片部３３ｅが形成されている。また、板部３３ａの前端には、折り曲げ可能な片部３３ｆが形成されている。この片部３３ｆの下端には、折り曲げ可能な片部３３ｇが形成されている。また、片部３３ｆの前端には、折り曲げ可能な片部３３ｈが形成されている。この片部３３ｈの下端には、折り曲げ可能な片部３３ｉが形成されている。また、片部３３ｈの上端には、折り曲げ可能な片部３３ｊが形成されている。また、板部３３ａの後端には、折り曲げ可能な片部３３ｋが形成されている。この片部３３ｋの下端には、折り曲げ可能な片部３３ｍが形成されている。また、片部３３ｋの後端には、折り曲げ可能な片部３３ｎが形成されている。この片部３３ｎの下端には、折り曲げ可能な片部３３ｏが形成されている。また、片部３３ｎの上端には、折り曲げ可能な片部３３ｐが形成されている。
【００６０】
また、板部３３ａの上部には、係止爪２４（図６参照）によって係止される係止孔３３ｓ、３３ｓが形成されている。片部３３ｈの上部には、係止爪２３（図６参照）によって係止される係止孔３３ｔが形成されている。片部３３ｎの上部には、係止爪２２（図６参照）によって係止される係止孔３３ｕが形成されている。
【００６１】
図９（ｂ）に示すように、片部３３ｂ，３３ｃ，３３ｄ，３３ｅ，３３ｆ，３３ｋは、板部３３ａに対して内側（図示の紙面手前側）に曲げられる。また、片部３３ｇ，３３ｈは、片部３３ｆに対して内側（図示の紙面手前側）に曲げられる。また、片部３２ｉ，３３ｊは、片部３３ｈに対して内側（図示の紙面手前側）に曲げられる。また、片部３３ｍは、片部３３ｋ，３３ｎに対して内側（図示の紙面手前側）に曲げられる。また、片部３３ｏ，３３ｐは、片部３３ｎに対して内側（図示の紙面手前側）に曲げられる。図９（ｂ）に示すようにシールド板３３を曲げた状態で、本体ケース２内に配置される。
【００６２】
図１０は、係止部にシールド板が取り付けられた状態を示し、（ａ）は斜視図、（ｂ）は断面図である。なお、以下では、シールド板３１を係止させる場合について説明するが、その他のシールド板３２，３３についても、シールド板３１と同様であるので説明を省略する。また、図１０（ｂ）は、係止爪の位置で切断したときの断面図である。
【００６３】
図１０（ａ）に示すように、係止孔３１ｓに係止爪２２を係止させる場合には、シールド板３１の裏側（内壁面２１ｂ１側）から係止爪２２を係止孔３１ｓに挿入する。そして、係止爪２２の突出片２２ｂ，２２ｃを係止孔３１ｓから突出させる。
【００６４】
図１０（ｂ）に示すように、突出片２２ｂ，２２ｃは、上下方向にバネ性を有しており、係止孔３１ｓの下端３１ｓ１に突出片２２ｂの延出部２２ｂ１の下面が当接し、係止孔３１ｓの上端３１ｓ２に突出片２２ｃの上面が当接する。これにより、係止爪２２によってシールド板３１が係止される。
【００６５】
また、シールド板３１は、基部２２ａの先端面（前端）に当接することで、シールド板３１と内壁面２１ｂ１とが離間した状態に、本体ケース２内に配置される。
【００６６】
図１１は、本体ケース内にシールド板を配置した状態を示す平面図である。なお、図１１は、本体ケース２から、内釜３、内容器５、制御装置８、冷却ファン９などを取り外した状態を示している。
【００６７】
図１１に示すように、本体ケース２内には、底面部２１ｅの内側に金属板としてシールド板（金属板）１０、側面部２１ｂの内側にシールド板（金属板）３１、側面部２１ｃの内側にシールド板（金属板）３２、後面部２１ｄの内側にシールド板（金属板）３３が設けられる。
【００６８】
また、シールド板１０，３１，３２，３３は、加熱コイル６および側面ヒータ１７から発生する輻射熱を反射するように構成されている。なお、シールド板１０，３１，３２，３３は、板状のものに限定されず、シート状のものも含まれる。なお、シールド板１０は、加熱コイル６による磁束漏れを防止するために、シールド板３１，３２，３３よりも板厚の厚い（大きい）板状のもので構成されている。
【００６９】
シールド板１０は、アルミニウム合金製とすることで、加熱コイル６からの磁界の影響を受けにくくすることができる。シールド板３１，３２，３３は、輻射熱を反射できるものであればアルミニウム合金製に限定されるものではなく、鉄などの他の金属板であってもよい。例えば、アルミニウムめっき鋼板、電気亜鉛めっき鋼板であってもよい。なお、側面ヒータ１７を電熱線ヒータに替えてＩＨコイルにした場合には、磁束漏れおよび過度な発熱を防止するため、アルミニウム合金製の金属板にすることが好ましい。また、シールド板１０は、全体をアルミニウム合金製にする必要はなく、磁束漏れの影響を受ける領域のみアルミニウム合金製にすればよい。
【００７０】
また、シールド板１０は、底面部２１ｅの上面に、吸気口２ａと排気口２ｂを除くほぼ全体を覆うように構成されている。すなわち、シールド板１０は、吸気口２ａを塞がないように切り欠かれた切欠部１０ａが形成されている。また、シールド板１０は、排気口２ｂを塞がないように切り欠かれた切欠部１０ｂが形成されている。
【００７１】
また、シールド板１０は、底面部２１ｅから上方に突出して形成されたボス２１ｍ，２１ｍ，２１ｎ，２１ｎと重ならないように切り欠かれた切欠部１０ｃ，１０ｃが形成されている。この切欠部１０ｃは、吸気口２ａの前寄りの左右２箇所に形成されている。また、シールド板１０は、通水口２１ｈが形成された筒体保持部２１ｅ１と重ならないように切り欠かれた切欠部１０ｄが形成されている。また、シールド板１０は、その前端がボス２１ｍ，２１ｍの位置まで形成されている。
【００７２】
シールド板３１は、側面部２１ｂの前端から後端にかけて全体を覆うように配置されている。シールド板３２は、側面部２１ｃの前端から後端にかけて全体を覆うように配置されている。シールド板３３は、後面部２１ｄの左端から右端にかけて全体を覆うように配置されている。
【００７３】
また、シールド板３１の片部３１ｇとシールド板３３の片部３３ｋとは、片部３３ｋが片部３１ｇの内側に位置するように重ねられる。また、シールド板３１の板部３１ａとシールド板３３の片部３３ｎとは、片部３３ｎが板部３１ａの内側に位置するように重ねられる。
【００７４】
また、シールド板３２の片部３２ｇとシールド板３３の片部３３ｆとは、片部３３ｆが片部３２ｇの内側に位置するように重ねられる。また、シールド板３２の板部３２ａとシールド板３３の片部３３ｈとは、片部３３ｈが板部３２ａの内側に位置するように重ねられる。
【００７５】
また、シールド板３１は、係止孔３１ｓ，３１ｓが係止爪２２，２２に係止される。また、シールド板３２は、係止孔３２ｓ，３２ｓが係止爪２３，２３に係止される。また、シールド板３３は、係止孔３３ｓ，３３ｓが係止爪２４，２４に係止される。
【００７６】
また、シールド板３３は、係止孔３３ｕが後側の係止爪２２に重ねて係止される。また、シールド板３３は、係止孔３３ｔが後側の係止爪２３に重ねて係止される。これにより、シールド板３３が本体ケース２内においてばたつくのを防止できる。
【００７７】
このように、本体ケース２には、前面を除く本体ケース２（図１参照）の内壁面の全体に、シールド板３１，３２，３３が配置されている。
【００７８】
また、シールド板１０には、円形凸部（図３参照）に対応するように円形の窪み形状部１０ｅが形成されている。この窪み形状部１０ｅの中央部には、略四角形状の切欠部１０ｄが形成されている。また、窪み形状部１０ｅには、切欠部１０ｄを挟んで前後にねじ挿通孔１０ｆ，１０ｆが形成されている。また、シールド板１０には、切欠部１０ａの後寄りの左右両側にねじ挿通孔１０ｇ，１０ｇが形成されている。これらねじ挿通孔１０ｆ，１０ｆ，１０ｇ，１０ｇにねじ（不図示）を挿通して、本体ケース２の底面部２１ｅ（図３参照）に螺着することで、シールド板１０が底面部２１ｅに固定される。
【００７９】
また、シールド板１０，３１，３２，３３は、いずれもアルミニウム合金製の板材によって構成されている。また、シールド板１０の板厚は、シールド板３１，３２，３３の板厚よりも厚く形成されている。例えば、シールド板１０の板厚を０．５ｍｍとし、シールド板３１，３２，３３の板厚を０．１ｍｍとすることができる。なお、これらシールド板１０，３１，３２，３３の板厚は、一例であって本実施形態に限定されるものではない。シールド板１０は、磁界の漏れ防止および許容できる発熱量に対応した板厚に設定される。シールド板３１，３２，３３は、シールド板１０より薄い板厚にすることで、本体ケース２に設置する際の作業性を向上できる。
【００８０】
図１２は、図１１のＡ−Ａ線断面図である。
図１２に示すように、シールド板１０は、底面部２１ｅに沿って配置される底部１０ｓと、この底部１０ｓの左右両側において上方に折れ曲がる起立部１０ｔ，１０ｔと、この起立部１０ｔの上端においてさらに左右方向の外側に折れ曲がる曲げ部１０ｕ，１０ｕと、を有している。このように、シールド板１０は、起立部１０ｔと曲げ部１０ｕとが持ち手２１ｉの盛り上がり形状に沿って折れ曲がるようにして形成されている。なお、持ち手２１ｉが形成されていない場合には、起立部１０ｔと曲げ部１０ｕは不要になる。
【００８１】
シールド板３１は、側面部２１ｂの内壁面２１ｂ１に沿って略上下方向に延びて配置されている。シールド板３１の片部３１ｂは、左右方向（幅方向）の内側に折れ曲がるようにして配置されている。また、シールド板３１の上端３１ｖは、側面部２１ｂの上端よりも低い高さに設定されている。換言すると、シールド板３１は、側面ヒータ１７（図１参照）が対向する左側方だけでなく、側面ヒータ１７よりも鉛直方向の上方および下方に広い領域となるように形成されている。また、シールド板３１は、側面部２１ｂに突出して形成された係止爪２２に係止されている。
【００８２】
また、片部３１ｂは、シールド板１０の曲げ部１０ｕの下側に潜り込むようにして（上下に重なるようにして）配置されている。曲げ部１０ｕは、片部３１ｂよりも撓み変形し難い剛性を有しているので、本体ケース２内でのシールド板３１のばたつきを抑えることができる。これにより、シールド板１０よりも変形し易いシールド板３１が、誘導加熱時に過度に発熱するのを防止できる。
【００８３】
また、シールド板３１と側面部２１ｂの内壁面２１ｂ１との間には、空気層ＡＬ１が形成されている。このように、空気層ＡＬ１を設けることによって、空気層ＡＬ１を断熱層として機能させることができる。その結果、シールド板３１が有する熱が側面部２１ｂに逃げにくくなり、側面部２１ｂの外表面が過度に熱くなるのを防止できる。
【００８４】
シールド板３２は、シールド板３１と同様に、板部３２ａと、片部３２ｂと、を有している。また、シールド板３２の上端３２ｖは、側面部２１ｃの上端よりも低い高さに設定されている。換言すると、シールド板３２は、側面ヒータ１７（図１参照）が対向する右側方だけでなく、側面ヒータ１７よりも鉛直方向の上方および下方に広い領域となるように形成されている。また、シールド板３２は、側面部２１ｃに突出して形成された係止爪２３に係止されている。
【００８５】
また、片部３２ｂは、シールド板１０の曲げ部１０ｕの下側に潜り込むようにして配置されている。曲げ部１０ｕは、片部３２ｂよりも変形し難いので、シールド板３２のばたつきを抑えることができる。これにより、シールド板１０よりも変形し易いシールド板３２が、誘導加熱時に過度に発熱するのを防止できる。
【００８６】
また、シールド板３２と側面部２１ｃの内壁面２１ｃ１との間には、空気層ＡＬ２が形成されている。このように、空気層ＡＬ２を設けることによって、空気層ＡＬ２を断熱層として機能させることができる。その結果、シールド板３２が持つ熱が側面部２１ｃに逃げにくくなり、側面部２１ｃの外表面が過度に熱くなるのを防止できる。
【００８７】
シールド板３３は、後面部２１ｄの内壁面２１ｄ１に沿って左右方向に延びて形成されている。また、シールド板３３の上端３３ｖは、シールド板３１，３２の上端３１ｖ，３２ｖと略同じ高さに設定されている。また、シールド板３３は、鉛直方向の下端の底面部２１ｅまで延びて形成されている。
【００８８】
また、シールド板３３は、その上部が後面部２１ｄに突出して形成された係止爪２４，２４に係止されている。また、前記したように、シールド板３３の左右両端とシールド板３１，３２の後端とは、互いに重なるように構成されている。
【００８９】
また、シールド板３３と後面部２１ｄの内壁面２１ｄ１との間には、空気層１Ｌ３が形成されている（図１１参照）。このように、空気層ＡＬ３を設けることによって、空気層ＡＬ３を断熱層として機能させることができる。その結果、シールド板３３が持つ熱が後面部２１ｄに逃げにくくなり、後面部２１ｄの外表面が過度に熱くなるのを防止できる。
【００９０】
ところで、炊飯器１では、炊飯時や保温時に熱を外に逃がさないように断熱する必要があり、逆に制御装置８に搭載された発熱部品などを冷却する必要がある。これまでの炊飯器では、本体ケースの内壁面にウレタンフォームなどの断熱材を設けて断熱していた。しかし、このような断熱材は、輻射熱を吸収するため、断熱効果が損なわれるものであった。そこで、本実施形態では、炊飯時や保温時には、加熱コイル６や側面ヒータ１７からの輻射熱をシールド板１０，３１，３２，３３によって反射させることで、断熱効果を発揮できるようにしたものである。また、制御装置８、加熱コイル６および側面ヒータ１７を冷却する際には、冷却ファン９を作動させて風を流すことで、シールド板１０，３１，３２，３３を熱伝導部材として機能させて、シールド板１０，３１，３２，３３が持つ熱を熱伝導によって冷却することができる。このように、シールド板１０，３１，３２，３３をアルミニウム合金製にすることで、輻射熱を反射させることができるとともに熱伝導率が高い素材であるので、風を流しているとき（冷却ファン９を作動させているとき）には冷却に寄与でき、風を流していないとき（冷却ファン９を停止しているとき）は保温に寄与できる。
【００９１】
以上説明したように、第１実施形態の炊飯器１は、本体ケース２と、本体ケース２の上部を覆う外蓋４と、本体ケース２に着脱自在に収納される内釜３と、を備える。また、炊飯器１は、内釜３を加熱する側面ヒータ１７と、側面ヒータ１７を制御する制御装置８と、側面ヒータ１７および制御装置８を冷却する冷却ファン９と、を備える。また、炊飯器１は、本体ケース２の内側に設けられ、内釜３の側面に位置して輻射熱を反射させるシールド板３１，３２，３３を備える。これによれば、側面ヒータ１７からの輻射熱をシールド板３１，３２，３３によって反射させることができるので、シールド板３１，３２，３３を断熱（保温）に寄与させることができる。また、冷却ファン９を作動させることで、シールド板３１，３２，３３による熱伝導によってシールド板３１，３２，３３を冷却に寄与させることができる。
【００９２】
また、第１実施形態は、本体ケース２とシールド板３１，３２，３３との間に空気層ＡＬ１，ＡＬ２，ＡＬ３を有する。これによれば、空気層ＡＬ１，ＡＬ２，ＡＬ３を断熱層として機能させることができ、シールド板３１，３２，３３が有する熱が本体ケース２に伝達されるのを抑制できる。
【００９３】
また、第１実施形態は、本体ケース２が当該本体ケース２の内壁面２１ｂ１，２１ｃ１，２１ｄ１から突出して形成される係止爪２２，２３，２４を備え、シールド板３１，３２，３３が係止爪２２，２３，２４に係止されている。これによれば、本体ケース２の内壁面２１ｂ１，２１ｃ１，２１ｄ１とシールド板３１，３２，３３との間に空気層ＡＬ１，ＡＬ２，ＡＬ３を確実に形成することができる。その結果、シールド板３１，３２，３３が持つ熱を本体ケース２に逃がし難くできる。
【００９４】
また、第１実施形態は、内釜３の底面側に設けられる加熱コイル６と、内釜３の側面側に設けられる側面ヒータ１７と、加熱コイル６と本体ケース２の底面部２１ｅとの間に設けられるアルミニウム合金製のシールド板１０と、を備える。シールド板３１，３２，３３は、シールド板１０よりも板厚が薄く形成されている。これにより、本体ケース２にシールド板３１，３２，３３を取り付ける際の作業性を向上できる。ちなみに、シールド板１０とシールド板３１，３２，３３の全体を一体に構成するには、深しぼりの技術が必要になる。深しぼりは、難易度の高い技術であり、またアルミニウムの素材に適用し難いものである。このため、シールド板１０，３１，３２，３３を一体に構成すると、製造が困難であり、製造コストが高くなる。そこで、本実施形態では、シールド板３１，３２，３３を分割して配置することで、容易かつ低コストで製造でき、作業性を向上できる。
【００９５】
また、第１実施形態は、シールド板１０がシールド板３１，３２よりも板厚が厚く形成されている場合、シールド板３１，３２がシールド板１０によって抑えられている。これによれば、シールド板３１，３２がばたつくのを抑えることができるので、加熱コイル６の誘導加熱による磁界の影響を受けてシールド板３１，３２が過度に加熱されるのを抑えることができる。
【００９６】
また、第１実施形態は、シールド板３１，３２，３３は、アルミニウム製またはアルミニウム合金製である。これによれば、断熱機能と冷却機能とを容易に両立できる。
【００９７】
また、第１実施形態は、本体ケース２が合成樹脂製である。ところで、本体ケース２が金属製であると、シールド板３１，３２，３３が持つ熱をその金属が奪い取ってしまう。そこで、本体ケース２を合成樹脂製にすることで、断熱性（保温性）を高めることができる。
【００９８】
（第２実施形態）
図１３は、第２実施形態の炊飯器の一部を示す断面図である。なお、図示を省略しているその他の部分については第１実施形態と同様である。
図１３に示すように、第２実施形態の炊飯器は、本体ケース２の側面部２１ｂとシールド板３１との間に断熱材４０が設けられている。なお、断熱材４０は、ポリウレタンフォームなどで構成されている。なお、図示省略しているが、本体ケース２の側面部２１ｃとシールド板３２との間、本体ケース２の後面部２１ｄとシールド板３３との間にも同様にポリウレタンフォームなどからなる断熱材が設けられている。
【００９９】
これにより、側面部２１ｂの内壁面２１ｂ１とシールド板３１との間を確実に離間させることができるので、断熱効果を高めることができる。
【０１００】
以上、本発明の実施形態について説明したが、本発明は前記した実施形態に限定されず、種々の形態で実施することができる。例えば、前記した実施形態では、シールド板３１，３２，３３によって前面を除く外周に設けた場合を例に挙げて説明したが、前面を含めて外周全体にシールド板を設ける構成であってもよい。また、シールド板を、前面部２１ａと後面部２１ｄを設けずに、左右両方の側面部２１ｂ，２１ｃに設ける構成であってもよく、または一方の側面部２１ｂ，２１ｃに設ける構成であってもよい。
【０１０１】
また、前記した実施形態では、本体ケース２が略四角形状の炊飯器を例に挙げて説明したが、本体ケースが円形状など他の形状の炊飯器に適用してもよい。
【０１０２】
また、前記した実施形態では、底面にシールド板１０、側面にシールド板３１，３２，３３を設けた場合を例に挙げて説明したが、内蓋１１にシールド板（アルミシート）を追加して設ける構成であってもよい。
【０１０３】
また、空気層ＡＬ１，ＡＬ２，ＡＬ３を形成する手段として、内壁面２１ｂ１，２１ｃ１，２１ｄ１に内方に突出するリブを複数形成して、このリブにシールド板３１，３２，３３を当接するように配置してもよい。
【符号の説明】
【０１０４】
１      炊飯器
２      本体ケース
２ａ    吸気口
２ｂ    排気口
３      内釜
４      外蓋（蓋）
６      加熱コイル（加熱手段、第１加熱部）
９      冷却ファン
１０    シールド板（保護板、金属板）
１０ｔ  起立部
１０ｕ  曲げ部
１１    内蓋
１３    蓋ヒータ
１７    側面ヒータ（加熱手段、第２加熱部）
２１ａ  前面部
２１ｂ，２１ｃ  側面部
２１ｄ  後面部
２１ｅ  底面部
２１ｂ１，２１ｃ１，２１ｄ１  内壁面
２１ｅ  底面部（底面）
２２，２３，２４  係止爪（係止部）
２２ａ  基部
２２ｂ，２２ｃ，２２ｄ  突出片
３１，３２，３３  シールド板（金属板）
３１ａ，３２ａ，３３ａ  板部
３１ｂ，３１ｃ，３１ｄ，３１ｅ，３１ｆ，３１ｇ，３１ｈ  片部
３２ｂ，３２ｃ，３２ｄ，３２ｅ，３２ｆ，３２ｇ，３２ｈ，３２ｉ  片部
３３ｂ，３３ｃ，３３ｄ，３３ｅ，３３ｆ，３３ｇ，３３ｈ，３３ｉ，３３ｊ，３３ｋ，３３ｍ，３３ｎ，３３ｏ，３３ｐ  片部
３１ｓ，３２ｓ，３３ｓ，３３ｔ，３３ｕ  係止孔
４０    断熱材
ＡＬ１，ＡＬ２，ＡＬ３  空気層
【図１】
2020174965.tif 000003
【図２】
2020174965.tif 000004
【図３】
2020174965.tif 000005
【図４】
2020174965.tif 000006
【図５】
2020174965.tif 000007
【図６】
2020174965.tif 000008
【図７】
2020174965.tif 000009
【図８】
2020174965.tif 000010
【図９】
2020174965.tif 000011
【図１０】
2020174965.tif 000012
【図１１】
2020174965.tif 000013
【図１２】
2020174965.tif 000014
【図１３】
2020174965.tif 000015